(57)【要約】【課題】左右の分岐路の一方を選択してランナ３０を走行させる。【解決手段】ランナ３０の走行路が左右に分岐する分岐点に設置するガイドフレーム１０と、ガイドフレーム１０に搭載するポイント機構２０とを設ける。【選択図】図１
2006132226.tif 000002
【特許請求の範囲】
【請求項１】
ランナの走行路が左右に分岐する分岐点に設置するガイドフレームと、該ガイドフレームに搭載するポイント機構とを備えてなり、該ポイント機構は、左右一対のガイド片と、該ガイド片をそれぞれ上下に駆動する一対のねじ軸と、該ねじ軸を互いに逆方向に回転駆動する共通の駆動軸とを有し、前記ガイド片の一方を下降させてランナの上面のガイドローラに係合させることにより、ランナを左右の分岐路の一方に選択して進行させることを特徴とする移動間仕切りのポイント装置。
【請求項２】
前記ガイドフレームは、ランナの走行面となる下板を有し、該下板には、ランナの下面のガイドローラをガイドし、左右の分岐路に滑らかに連続するガイドスリットを形成することを特徴とする請求項１記載の移動間仕切りのポイント装置。
【発明の詳細な説明】
【技術分野】
【０００１】
この発明は、ランナを介してハンガレールから吊下する大形の移動間仕切りにおいて、移動パネルの進行方向を左右の分岐路の一方に選択することができる移動間仕切りのポイント装置に関する。
【背景技術】
【０００２】
移動間仕切りにおいて、移動パネルのランナを直進させるか、分岐路側に進行させるかを選択することができるポイント装置が実用されている（特許文献１、２）。
【０００３】
ポイント装置は、ハンガレールの上面に搭載され、ハンガレール内を走行するランナの上面のガイドローラに係合する上下動可能なガイド片を備えている。そこで、このものは、ガイド片を下降させてランナのガイドローラに係合させることにより、ランナの進行方向を分岐路側に選択することができ、ガイド片を上昇させることにより、ランナの直進を許容することができる。なお、ガイド片は、ガイドローラに係合する湾曲面を有し、湾曲面を介してランナの進行方向を滑らかに変更させるため、左右の側面に各複数個の走行ローラを有する大形の移動パネル用の多軸ランナであっても、その進行方向を円滑に変更させることができる。
【特許文献１】特開平２−１０８７７７号公報
【特許文献２】実願平２−１１２０３５号（実開平３−７４７８１号）のマイクロフィルム
【発明の開示】
【発明が解決しようとする課題】
【０００４】
かかる従来技術によるときは、ポイント装置は、１個のガイド片を上下に移動させてランナの進行方向を選択させるから、ランナを直進させるか、分岐路側に進行させるかの選択しかできず、ランナを左右の分岐路の一方に選択して進行させることができないという問題があった。すなわち、移動パネルを左右の分岐路に選択的に進行させる場合は、２組のポイント装置を縦続して配置し、上流側の１組によって右または左に分岐させるか否かを選択し、下流側の１組によって他方に分岐させるか否かを選択しなければならず、移動パネルの必要走行長さが過大になりがちであった。
【０００５】
そこで、この発明の目的は、かかる従来技術の問題に鑑み、互いに逆方向に上下動する左右一対のガイド片を設けることによって、左右の分岐路の一方を選択してランナを進行させることができる移動間仕切りのポイント装置を提供することにある。
【課題を解決するための手段】
【０００６】
かかる目的を達成するためのこの発明の構成は、ランナの走行路が左右に分岐する分岐点に設置するガイドフレームと、ガイドフレームに搭載するポイント機構とを備えてなり、ポイント機構は、左右一対のガイド片と、ガイド片をそれぞれ上下に駆動する一対のねじ軸と、ねじ軸を互いに逆方向に回転駆動する共通の駆動軸とを有し、ガイド片の一方を下降させてランナの上面のガイドローラに係合させることにより、ランナを左右の分岐路の一方に選択して進行させることをその要旨とする。
【０００７】
なお、ガイドフレームは、ランナの走行面となる下板を有し、下板には、ランナの下面のガイドローラをガイドし、左右の分岐路に滑らかに連続するガイドスリットを形成することができる。
【発明の効果】
【０００８】
かかる発明の構成によるときは、ガイドフレームは、ランナの走行路の分岐点に設置され、ランナが進入する進入口と、左右の分岐路に接続する左右の分岐口とを有する。また、ポイント機構は、ガイドフレームの進入口の上方に搭載されている。そこで、ポイント機構は、一対のガイド片の一方を下降させてランナの上面のガイドローラに係合させることにより、ガイド片を介し、進入口から進入するランナの進行方向を滑らかに変更し、ランナを一方の分岐口から一方の分岐路に進行させることができ、他方のガイド片を下降させることにより、他方の分岐口から他方の分岐路に進行させることができる。なお、一対のガイド片は、共通の駆動軸を介し、それぞれのねじ軸を互いに逆方向に回転駆動して上下動させるから、双方が下降してランナと不用意に干渉したりするおそれがない。すなわち、１組のポイント装置により、移動パネルの必要走行長さを最少にしてランナの進行方向を左右に選択することができる。
【０００９】
ガイドフレーム内のランナは、下板に設けるガイドスリットによって下面のガイドローラがガイドされ、所定の分岐口から所定の分岐路に滑らかに進行させることができる。なお、ガイドスリットの分岐点は、ガイド片を介して進行方向が変えられたランナのガイドローラが円滑に進入し得るように、ガイド片のほぼ直下に位置させることが好ましい。
【発明を実施するための最良の形態】
【００１０】
以下、図面を以って発明の実施の形態を説明する。
【００１１】
移動間仕切りのポイント装置は、ガイドフレーム１０と、ガイドフレーム１０に搭載するポイント機構２０とを備えてなる（図１）。なお、ガイドフレーム１０は、ランナ３０の走行路が左右に分岐する分岐点に設置されている。
【００１２】
ランナ３０は、移動パネルＰを吊下してハンガレール４１内を前後に移動走行することができる（図２、図３）。ただし、図２（Ａ）、（Ｂ）は、それぞれランナ３０の上面図、側面図である。
【００１３】
ランナ３０は、ブロック状の本体３１の両側面に各３個の走行ローラ３２、３２…を有する多軸ランナである。本体３１の中央部には、スラストベアリング３３ａを介し、移動パネルＰを吊下する吊下ボルト３３が相対回転自在に垂下されている。なお、移動パネルＰは、上端面の図示しない吊下ナットに吊下ボルト３３をねじ込み、ロックナットＰ1 を介して吊下ボルト３３に連結されている。また、スラストベアリング３３ａを含む吊下ボルト３３の頭部は、本体３１の上面にねじ止めするカバー３１ａによって保護されている。
【００１４】
ランナ３０の上面には、ガイドローラ３４、３４…が左右２列に装着されている。なお、左列のガイドローラ３４、３４は、右列のガイドローラ３４、３４より高く配置されている。一方、ランナ３０の下面中心線上には、前後のガイドローラ３５、３５が装着されている。
【００１５】
ランナ３０は、前後の２組を介して移動パネルＰを吊下し、ハンガレール４１内を走行して移動パネルＰを前後に移動させる。すなわち、ランナ３０の走行ローラ３２、３２…は、ハンガレール４１の走行面４１ａ、４１ａ上を転動し、このとき、吊下ボルト３３は、ハンガレール４１の下面のガイドスリット４１ｂ内を垂下するものとする。また、ランナ３０の下面のガイドローラ３５、３５は、ガイドスリット４１ｂ内を水平に転動し、ランナ３０をハンガレール４１に沿って走行させる。なお、ハンガレール４１は、チャンネル状の補強レール４２を介して補強され、建屋の天井面Ｃの上方に下向きに敷設されている。ハンガレール４１は、ロックナット４３ａ付きの押えボルト４３を介して補強レール４２内に保持されており、ハンガレール４１には、天井面Ｃの下面に露出する装飾用のモール４１ｃ、４１ｃが付設されている。
【００１６】
ハンガレール４１は、ガイドフレーム１０の進入口Ａ、左右の分岐口Ｂ、Ｂにそれぞれ接続することにより、分岐点を含むランナ３０の走行路を形成することができる（図１）。ただし、ハンガレール４１は、進入口Ａ側、分岐口Ｂ、Ｂ側にそれぞれ突設する接続用の舌片４４、４４を介してガイドフレーム１０に連結するものとする。なお、ガイドフレーム１０は、天井面Ｃの上方に設置され（図４）、ガイドフレーム１０の下の天井面Ｃにも、ハンガレール４１の下の装飾用のモール４１ｃ、４１ｃと連続するモール４１ｃ、４１ｃが付設されている。
【００１７】
ガイドフレーム１０は、略Ｔ字状の上板１１と、多数のスペーサ１３、１３…を介して上板１１の下に組み付ける下板１２、１２とを介し、内部にランナ３０を走行させ得る変形平箱状に形成されている（図１、図４）。なお、ポイント機構２０は、上板１１の角孔１１ａを介し、ガイドフレーム１０の進入口Ａ側に搭載されている。
【００１８】
下板１２、１２の上面は、進入口Ａ、分岐口Ｂ、Ｂに接続する各ハンガレール４１の走行面４１ａ、４１ａと同一高さであり、上板１１は、ハンガレール４１に付設する補強レール４２の天面と同一高さに設定されている。下板１２、１２の間には、進入口Ａから進入し、分岐口Ｂ、Ｂから退出するランナ３０の下面のガイドローラ３５、３５をガイドするために、ポイント機構２０のほぼ直下において分岐して滑らかに対称的に湾曲するガイドスリット１４が形成されている。ガイドスリット１４の進入口Ａ側、分岐口Ｂ、Ｂ側は、それぞれ進入口Ａ側、分岐口Ｂ、Ｂ側に接続する各ハンガレール４１のガイドスリット４１ｂに連続している。そこで、進入口Ａから進入するランナ３０は、走行ローラ３２、３２…が下板１２、１２上を転動することにより、ガイドスリット１４に沿って、分岐口Ｂ、Ｂの一方から退出することができる。
【００１９】
ポイント機構２０は、左右一対の下向きのガイド片２１、２１と、各ガイド片２１を上下に駆動する一対のねじ軸２２、２２と、ねじ軸２２、２２を互いに逆方向に回転駆動する共通の駆動軸２３とを備えて構成されている（図４、図５）。
【００２０】
各ガイド片２１は、ねじ軸２２の下部に螺合するスペーサブロック２１ａの下面にねじ止めされている。ガイド片２１、２１は、ガイドフレーム１０のガイドスリット１４の分岐点の上方に左右対称に配設されており（図１、図４）、ガイド片２１、２１の側面には、ガイドスリット１４の分岐点近傍の湾曲部分と平行な湾曲面２１ｂ、２１ｂが相対向するようにして形成されている。
【００２１】
各ねじ軸２２は、ベアリング２２ａ、２２ａを介し、上方の固定ブロック２４に対して下向きに組み付けられている（図４、図５）。また、各スペーサブロック２１ａの上面に立設する前後のガイドロッド２５、２５は、固定ブロック２４を上下に摺動自在に貫通している。各ガイドロッド２５の上端部には、図示しない小孔を介して外部に連通するグリースポット２５ａが形成され、ガイドロッド２５の外周には、油溝２５ｂ、２５ｂ…が上下に多段に形成されている。なお、固定ブロック２４、２４は、それぞれ前後のブラケット２４ａ、２４ａ、スペーサ２４ｂ、２４ｂを介してガイドフレーム１０の上板１１上にねじ止めされ、角孔１１ａ上に並設されている。
【００２２】
そこで、各ガイド片２１は、対応するねじ軸２２を正逆に回転させることにより、湾曲面２１ｂがランナ３０の上面の各列のガイドローラ３４、３４に係合する作動位置（図４の右半部、図５の左半部）と、湾曲面２１ｂがガイドローラ３４、３４から離脱する退避位置（図４の左半部、図５の右半部）とに上下に駆動することができる。なお、一方の固定ブロック２４の側面には、上向き、下向きのリミットスイッチ２４ｃ、２４ｃが付設され、リミットスイッチ２４ｃ、２４ｃは、対応するスペーサブロック２１ａの側面に固定するドッグブラケット２４ｄにより、それぞれガイド片２１の作動位置、退避位置を検出することができる。また、固定ブロック２４、２４の上面には、ガイドロッド２５、２５の上端部を収納し得るスペーサ２４ｅ、２４ｅを介してポイント機構２０のカバー板２４ｆがねじ止めされ、リミットスイッチ２４ｃ、２４ｃの上方は、カバーブラケット２４ｇを介して保護されている。
【００２３】
駆動軸２３は、固定ブロック２４、２４を共通に水平に貫通するようにして回転自在に組み付けられている。駆動軸２３上のスパイラルギヤ２３ａ、２３ａは、各固定ブロック２４内において、それぞれ対応するねじ軸２２上のスパイラルギヤ２２ｂに噛合している。ただし、スパイラルギヤ２３ａ、２２ｂの各組は、ねじ方向だけが互いに逆方向になっており、したがって、駆動軸２３を正逆に回転させると、ねじ軸２２、２２を同時に互いに逆方向に同量だけ回転駆動することができる。
【００２４】
駆動軸２３の一端には、駆動モータ２３ｂが連結されている。また、駆動軸２３上の別のスパイラルギヤ２３ｃには、上下方向の手動軸２３ｅ上のスパイラルギヤ２３ｄが噛合しており、手動軸２３ｅの下端には、天井面Ｃの開口部Ｃ1 を介し、手動ハンドル２３ｆを着脱することができる。また、開口部Ｃ1 の近傍には、リミットスイッチ２４ｃ、２４ｃによってたとえば赤、青に点滅する表示灯２４ｈが配設されている。そこで、ポイント機構２０は、図示しないコントローラを介して駆動モータ２３ｂを起動させることにより、ガイド片２１、２１の一方を作動位置に上昇させて他方を退避位置に下降させるように電動駆動する他、手動ハンドル２３ｆによっても、同様にガイド片２１、２１を上下に駆動することができ、表示灯２４ｈを介してガイド片２１、２１の位置を監視することができる。なお、駆動モータ２３ｂは、ガイド片２１、２１の作動位置、退避位置において自動停止するものとする。
【００２５】
ポイント機構２０は、たとえば右側のガイド片２１を作動位置に下降させて左側のガイド片２１を退避位置に上昇させると、走行路Ｒを介して進入口Ａから進入するランナ３０の上面の右列のガイドローラ３４、３４を右側のガイド片２１の湾曲面２１ｂに係合させ、ランナ３０を左側の分岐口Ｂに退出させ、左側の分岐路Ｒ1 に進行させることができる（図６の矢印Ｋ1 方向、図１）。また、この状態で、左側の分岐路Ｒ1 、分岐口Ｂからのランナ３０を進入口Ａ、走行路Ｒに戻すことも可能である。逆に、左側のガイド片２１を作動位置に下降させて右側のガイド片２１を退避位置に上昇させることにより、ランナ３０の左列のガイドローラ３４、３４を左側のガイド片２１の湾曲面２１ｂに係合させ、ランナ３０を右側の分岐口Ｂに退出させ、右側の分岐路Ｒ2 に進行させることができる（図６の矢印Ｋ2 方向）。また、このとき、右側の分岐路Ｒ2 、分岐口Ｂからのランナ３０を進入口Ａ、走行路Ｒに戻すことができる。
【００２６】
以上の説明において、ランナ３０の上面のガイドローラ３４、３４…の配設高さが左右の列によって異なるのは、図示しない固定のガイド片をハンガレール４１の天面に付設してハンガレール４１の直線走行部分の途中からランナ３０を左または右に自動分岐させるとき、ガイド片の配置高さにより各ランナ３０の分岐の要否を自動的に選択するためである。そこで、この発明のガイド片２１、２１は、高さが異なる双方の列のガイドローラ３４、３４…のいずれにも係合し得るように、それぞれの湾曲面２１ｂが形成されている。
【００２７】
なお、固定ブロック２４、２４は、双方のガイド片２１、２１、ねじ軸２２、２２に対応して個別に設けるに代えて、全体を一体の共通のブロック体に形成してもよい。
【図面の簡単な説明】
【００２８】
【図１】全体構成平面模式図
【図２】ランナの構成説明図
【図３】ランナの使用状態説明図
【図４】図１のＸ−Ｘ線矢視相当拡大断面説明図
【図５】図４のＹ矢視相当拡大断面説明図
【図６】動作説明模式図
【符号の説明】
【００２９】
Ｒ…走行路
Ｒ1 、Ｒ2 …分岐路
１０…ガイドフレーム
１２…下板
１４…ガイドスリット
２０…ポイント機構
２１…ガイド片
２２…ねじ軸
２３…駆動軸
３０…ランナ
３４、３５…ガイドローラ
特許出願人          小松ウオール工業株式会社
代理人  弁理士                松  田  忠  秋
【図１】
2006132226.tif 000003
【図２】
2006132226.tif 000004
【図３】
2006132226.tif 000005
【図４】
2006132226.tif 000006
【図５】
2006132226.tif 000007
【図６】
2006132226.tif 000008